(57)【要約】  【課題】断熱性能を発揮し、かつ薄くて軽い開閉操作の容易な移動建材を提供する。  【解決手段】建物の屋内外を連通する開口部１００に設けた少なくとも１枚以上の構成パネル１２７からなる移動建材１０１であって、移動建材１０１を構成する構成パネル１２７は室内側面および室外側面を成す面材１０２と、面材１０２端部に設けられた断熱性を有する枠材１３２と、面材１０２間に配設された真空断熱材とから構成されている。この結果、軽く開閉操作の容易な移動建材１０１を実現した上で、高い断熱性能を発揮することができると共に、枠材１３２表面の結露を抑制すると共に、住宅など建築物の開口部１００から室内へ侵入する熱を大幅に削減できるため、冷房や暖房の省エネルギー化を図ることができる。また、枠材１３２に親水性処理や撥水性処理を施すことにより、結露水の滞留を抑制しカビの発生を抑制すると共に室内の快適感を向上することができる。【選択図】図１
2007132070.tif 000002
【特許請求の範囲】
【請求項１】
建物の屋内外を連通する開口部に設けられた少なくとも１枚以上からなる移動建材であって、前記移動建材は、室内側面および室外側面を成す面材と、前記面材端部に設けられた断熱性を有する枠材と、前記面材間に配設された真空断熱材とから構成されていることを特徴とする移動建材。
【請求項２】
開口部に複数枚の移動建材を設ける場合は、近接する一方の移動建材の枠材と他方の枠材の隙間に断熱性強化部を設けることを特徴とする請求項１に記載の移動建材。
【請求項３】
前記枠材には撥水性処理が施されていることを特徴とする請求項１または請求項２に記載の移動建材。
【請求項４】
前記枠材には親水性処理が施されていることを特徴とする請求項１または請求項２に記載の移動建材。
【発明の詳細な説明】
【技術分野】
【０００１】
本発明は、建物の屋内外を連通する開口部において、断熱機能を発揮する移動建材に関するものである。
【背景技術】
【０００２】
近年、省エネルギー化の気運の高まりから、住宅など建築物の断熱性能を向上すべく、特に壁面の断熱性能の向上が進められており、次世代省エネ基準を満たす程の高い断熱性能を有する高断熱建材の開発が進められている。
【０００３】
しかし、壁面の断熱性能に比べて、従来は建物の屋内外を連通する開口部の断熱性能は大幅に低く、昨今は窓に関しては高断熱ペアガラス、玄関ドアにはフェノール樹脂発泡体を用いた断熱ドアなどが提案され、断熱機能を有した移動建具を提供しているものがある（例えば、特許文献１参照）。
【０００４】
一方、ホームシアターが人気を集め、リビングの高い遮光性と防音性を実現することを目的に、従来の和室の内障子とは全く機能の異なるタイプの内戸が提案されるなど、従来にない移動建材が商品化される可能性がある（例えば、特許文献２参照）。
【０００５】
図７は、特許文献１に記載された従来の玄関ドアなどの移動建材を示すものである。
【０００６】
図７に示すように、移動建材１１は、表裏面を構成する面材１２内の空間において、水酸化アルミニウムを含侵させたシート１３を折り返し蛇行させると共に、各々の湾曲した折り返し部分に形成される充填空間１４に、フェノール樹脂発泡体１５を充填発泡することにより構成される。
【０００７】
以上のように構成された移動建材について、以下その作用を説明する。
【０００８】
防火性を有するシート１３とフェノール樹脂発泡体１５で移動建材１１が構成されることにより、防火性を有すると共にフェノール樹脂発泡体１５の断熱性能により、断熱性能と防火性を有する移動建材１１を提供することが出来る。
【０００９】
図８は、特許文献２に記載された従来の内戸に代表される移動建材を示すものである。
【００１０】
図８に示すように、移動建材２１は開口部２０のサッシ２６と略並行に単数もしくは複数の構成パネル２７で構成され、各構成パネル２７は部屋の床２８から天井２９までの高さと略同等の高さを備えている。また、各構成パネル２７はサッシ２６と略並行に移動可能であるように構成されている。
【００１１】
以上のように構成された内戸について、以下その作用を説明する。
【００１２】
構成パネル２７を収納し開口部２０を開けた状態ではサッシ２６から採光や通風を確保できると共に、構成パネル２７を引き出し開口部２０を全閉した状態では遮光性と遮音性を確保することができ、ホームシアターなどのスクリーンやテレビ画面への光の差込を遮断することができ、かつ、ホームシアターを大音量で鑑賞するときでも屋外へ音が漏れ出ることを遮断することができる。
【特許文献１】特開平１１−１７３０２２号公報
【特許文献２】特開２００４−２７０２７８号公報
【発明の開示】
【発明が解決しようとする課題】
【００１３】
しかしながら、特許文献１の構成では、ドアの厚みがある程度確保できる玄関ドアとしては、フェノール樹脂発泡体の３０〜４０ｍｍ程度の断熱厚みを構成することができるため、所定の断熱性能を確保することができるが、開口部と略並行に移動可能な内戸タイプの移動建材に対しては、フェノール樹脂発泡体の断熱厚みが厚いことから、移動建材の厚みが厚くかつ重い移動建材となり、開閉性が悪くかつ収納性の悪い移動建材となる。
【００１４】
一方、特許文献２の構成では、構成パネルを開閉することにより、遮光性と遮音性を付与することはできるが、構成パネルの収納性の観点から、構成パネルの厚みは薄いほうが良く高い断熱性能を付与することはできないと考えられる。
【００１５】
本発明は、上記従来の課題を解決するもので、断熱材として真空断熱材を用いることにより、扉や内戸に限らず建物の開口部に用いる移動建材に高い断熱性能を付与した上で、移動建具の厚みを薄く構成することにより、極めて高い断熱効果を発揮すると共に、使い勝手の良い移動建材を提供するものである。
【課題を解決するための手段】
【００１６】
上記従来の課題を解決するために、本発明の移動建材は、建物の屋内外を連通する開口部に設けられた少なくとも１枚以上からなる移動建材であって、前記移動建材を、室内側面および室外側面を成す面材と、面材端部に設けられた断熱性を有する枠材と、面材間に配設された真空断熱材とから構成したものである。
【００１７】
これによって、フェノール樹脂発泡体などの充填断熱材の場合には断熱性能を得るための断熱厚みを３０〜４０ｍｍ程度確保していたことに対し、真空断熱材では充填断熱材の５〜１０倍の高い断熱性能を有することから、１０ｍｍ以下の断熱厚みであっても十分断熱性能を得ることができる。また、室外側から室内側へ連通する枠材を断熱性部材により構成することにより、室外側から室内側への熱侵入を抑制することができる。
【発明の効果】
【００１８】
本発明の移動建材は、玄関ドアに限らず開口部と略並行に開閉自在とする内戸においても、構成パネルの厚みを薄く構成することができるため、軽く開閉操作の容易な移動建材を実現した上で、高い断熱性能を発揮することができる。また、枠材を介しての熱侵入を抑制することができる。その結果、住宅など建築物の開口部から室内へ侵入する熱を大幅に削減できるため、冷房や暖房の省エネルギー化を図ることができるという効果がある。
【００１９】
また、枠材を断熱性部材で構成することにより、室内に侵入する熱侵入を抑制する作用があるため、室内側の枠材表面で発生する結露現象を抑えることができ、防カビ効果を得ることができる。
【発明を実施するための最良の形態】
【００２０】
請求項１に記載の移動建材の発明は、建物の屋内外を連通する開口部に設けられた少なくとも１枚以上からなる移動建材であって、前記移動建材を、室内側面および室外側面を成す面材と、面材端部に設けられた断熱性を有する枠材と、面材間に配設された真空断熱材とから構成したものであり、壁面断熱に用いられるグラスウールの１０倍から２０倍、充填断熱材の５倍から１０倍という高い断熱性能に応じて、従来の壁面部に比べ断熱性能の低かった開口部の断熱性能を大幅に向上することができる。
【００２１】
さらに、枠材を断熱性部材で構成することにより、室内に侵入する熱侵入を更に抑制しする作用があるため、冷房や暖房の省エネルギー効果を高めることができる。
【００２２】
さらに室内側の枠材表面で発生する結露現象を抑えることができるため、室内の快適性を高めると同時に防カビ効果を得ることができる。
【００２３】
請求項２に記載の移動建材の発明は、開口部に複数枚の請求項１に記載の移動建材を設ける場合は、近接する一方の移動建材の枠材と他方の枠材の隙間に断熱性強化部を設けることを特徴とするものであり、隣接する移動建材の枠材間にできる隙間から侵入する熱を抑制することにより、冷房や暖房の省エネルギー効果を更に高めることができる。
【００２４】
請求項３に記載の移動建材の発明は、請求項１または請求項２に記載の発明における前記枠材には撥水性処理を施すものであり、枠材表面の撥水性処理の効果で、枠材の表面に付着する結露水の枠材表面への接触角を大きくし付着力を小さくし、結露水の自重により移動建材の下方へ移動し、サッシ部から室外へ放出されることにより、結露水の滞留を抑えカビの発生や結露による不快感を低減することができる。
【００２５】
請求項４に記載の移動建材の発明は、請求項１または請求項２に記載の発明における前記枠材には親水性処理を施すものであり、枠材表面の親水性処理の効果で、枠材の表面に付着する結露水が枠材表面に広く拡散し、結露水の自重により移動建材の下方へ移動し、サッシ部から室外へ放出されることにより、結露水の滞留を抑えカビの発生や結露による不快感を低減することができる。
【００２６】
以下、本発明の実施の形態について、図面を参照しながら説明する。なお、この実施の形態によってこの発明が限定されるものではない。
【００２７】
（実施の形態１）
図１は、本発明の実施の形態１における移動建材を示す内戸の設置状況を示す平面図である。図２は、同実施の形態における内戸の横断面図である。図３は、同実施の形態における内戸を構成するパネルの側面断面図である。図４は、同実施の形態における内戸に配設する真空断熱材の断面図である。図５は、同実施の形態における枠材に付着した結露水の模式図である。
【００２８】
まず、移動建材を示す内戸１０１の構成について述べる。内戸１０１は、吐き出し窓である開口部１００に設けたガラス戸１３０の内側において、ガラス戸１３０と略並行に設置されており、複数の構成パネル１２７を連設して構成された片引き戸としている。
【００２９】
ここで、ガラス戸１３０は、二重ガラスの間に空気などのガスを封入することにより断熱性能を高めたペアガラスを用いている。
【００３０】
また、各構成パネル１２７は、枠材１３２の上部に突設された摺動ブロック１２０が上部レール１２２に嵌入され、かつ枠材１３２の下部に突設された摺動ガイド１２１が下部レール１２３に嵌入されることにより、摺動可能とされている。
【００３１】
ここで、ガラス戸１３０と略並行に摺動可能とされた構成パネル１２７は、建物壁１２５と収納壁１２６との間に収納可能としており、内戸１０１を使用する時には構成パネル１２７を収納壁１２６内部から引き出し、複数の構成パネル１２６を連設することにより開口部１００を閉じる。一方、内戸１０１を使用しない時は、構成パネル１２７を収納壁１２６内部に納め開口部１００を開放することができる。
【００３２】
次に構成パネル１２７の構成について述べる。構成パネル１２７は、室内側面と室外側面をなす面材１０２と、面材１０２の周囲端部に設けた断熱性を有する枠材１３２と、面材１０２および枠材１３２を組むことにより構成される空間内に配設された複数の真空断熱材１３３と、ガラスなどを嵌設された採光部１３１と、隣接する構成パネル１２７の枠材１３２間に設けた断熱性強化部１３９により構成されている。真空断熱材１３３の厚みは５ｍｍ程度とし、真空断熱材１３３の下部および移動方向には、弾性を有する緩衝部材１３６を設けている。また、枠材１３２の表面には撥水性処理を施した化粧シート１４１が貼り付けてある。
【００３３】
次に真空断熱材１３３の構成について述べる。真空断熱材１３３は、粉体や発泡体或いは繊維から成る芯材１３４と、ガスバリア性のあるラミネートフィルム１３５から構成されており、ラミネートフィルム１３５は、最外層の保護層と、その内側のアルミ箔によるガスバリア層と、最内層の熱溶着層から構成されている。
【００３４】
ここで、真空断熱材１３３は、矩形型に予め裁断された２枚のラミネートフィルム１３５の周囲３辺を熱溶着し、袋状に成形されたをラミネートフィルム１３５の間に芯材１３４を挿入し、ラミネートフィルム１３５の間の空間を真空排気すると共に、袋状のラミネートフィルム１３５の残る１辺を熱溶着することにより製造する。
【００３５】
その結果、真空断熱材１３３の熱伝導率は、０．００２〜０．００４Ｗ／ｍＫ程度の断熱性能を発揮し一般的な断熱材であるウレタンフォームの５〜１０倍という高い断熱性能を得ることが出来る。
【００３６】
以上のように構成された移動建材について、以下にその作用と効果を説明する。
【００３７】
構成パネル１２７は、採光部１３１を上下２箇所に設け、構成パネル１２７の全体に対して約４０％の面積を採光部１３１としている。このため、構成パネル１２７を全閉にした状態でも室内に十分な採光を取ることが可能であり、昼間に内戸１０１を締め切った状態でも明るい室内を維持することができる。
【００３８】
ここで、一般に壁の断熱に用いられるグラスウールを５０ｍｍ以上使用した場合や、ウレタンフォームを３０ｍｍ以上使用した場合のＫ値は、およそ１．０Ｗ／ｍ2Ｋ程度以下の断熱性能を示す。
【００３９】
これに対し、内戸１０１は、ガラス戸１３０をなすペアガラスとの組合せで、断熱効果を発揮するため、ガラス戸１３０と内戸１０１との組合せを考慮すると、ガラスからなる採光部１３１のＫ値は、壁面の数倍程度と予想される。
【００４０】
一方、真空断熱材１３３を適用した部分でのＫ値は０．１Ｗ／ｍ2Ｋ程度以下となる。このため、内戸１０１全体の平均Ｋ値は１．０Ｗ／ｍ2Ｋ以下に抑えることができ、採光部１３１を設けた場合でも、壁部と同程度の断熱性能を得ることができる。
【００４１】
更に、内戸１０１を構成する複数の構成パネル１２７を全閉した際に、隣接する構成パネル１２７の枠材１３２間の隙間を繊毛や弾性のあるゴムなどで構成される断熱性強化部１３９にて塞ぐことにより、隙間からの熱侵入を抑制し、断熱性能のばらつきを抑制すると共に更に断熱効果を高めることができる。
【００４２】
また、枠材１３２は発泡ＰＳなどの断熱性を有する材料で構成しているため、室外側から室内側への熱侵入を抑制する作用があり、内戸１０１全体の断熱性能を更に向上することができる。この結果、冬場において枠材１３２の室内側表面に発生する結露現象を抑制することができるため、カビの発生を抑制すると共に室内側の快適性を向上することができる。
【００４３】
更に、枠材１３２の表面に撥水性を有する化粧シート１４１を貼り付けることにより、結露水１４０と枠材１３２表面との接触角Ｒを大きくすることができるため、結露水１４０を容易に落下させ、枠材１３２表面への滞留を防止することができる。
【００４４】
以上のことから、太陽光を最大限取り入れつつ断熱効果を得たい場合には、内戸１０１を全開にしてペアガラスで断熱し、断熱効果を優先しつつ採光を行いたい場合には、内戸１０１を全閉にしてペアガラスと真空断熱材１３３とにより、断熱効果を最大化することにより、従来からのガラス戸と内障子の組合せという使い勝手を維持したまま、一日の生活シーンに応じて、適切かつ高い断熱仕様の組合せを得ることができる。
【００４５】
なお、本実施の形態では、採光部１３１の面積を４０％としたが、熱輻射による室内への熱侵入も考慮すれば、採光部１３１の面積は３０％程度までに止めるのが、理想的と考えられる。
【００４６】
なお、本実施の形態では、構成パネル１２７の枚数は複数枚としたが、開口部１００の大きさや種類との兼ね合いで決めるため、小さな腰窓に単数で適用する場合でも良いばかりか、玄関や通用口の扉として構成パネルを応用可能であることは言うまでもない。
【００４７】
また、充填性断熱材を用いた断熱性を有する玄関や通用口の扉に対しても、予め真空断熱材を配設したあとに充填断熱材を充填することにより、容易に構成パネルを製作することができる。
【００４８】
（実施の形態２）
図６は、本実施の形態における枠材に付着した結露水の模式図である。ここで、実施の形態１と同様の部分については説明を省略する。
【００４９】
構成パネル２２７は、室内側面と室外側面をなす面材（図示せず）と、面材の周囲端部に設けた断熱性を有する枠材２３２と、面材および枠材２３２を組むことにより構成される空間内に配設された真空断熱材２３３により構成されている。また、枠材２３２の表面には、親水性処理を施した化粧シート２４１が貼り付けてある。
【００５０】
以上のように構成された移動建材について、以下にその作用と効果を説明する。
【００５１】
枠材２３２の表面に親水性を有する化粧シート２４１を貼り付けることにより、結露水２４０は枠材２３２表面に薄く広がる作用があるため、結露水１４０は自重により下方へ広がっていき、滞留することなく排水することができる。この結果、冬場において枠材１３２の室内側表面に発生する結露現象を抑制することができるため、カビの発生を抑制すると共に室内側の快適性を向上することができる。
【産業上の利用可能性】
【００５２】
以上のように、本発明による移動建材は、開口部の断熱効果を得ると同時に、外側に設けたガラス戸との組合せ断熱効果により採光部を設けた場合でも高い断熱性能を得ることができる。また、本発明の移動建材は建物ばかりでなく、車、電車、新幹線等のような乗り物の開口部断熱方法としても利用可能である。
【図面の簡単な説明】
【００５３】
【図１】本発明の実施の形態１における内戸の設置状況を示す平面図
【図２】本発明の実施の形態１における内戸の横断面図
【図３】本発明の実施の形態１における内戸の構成パネルの側面断面図
【図４】本発明の実施の形態１における内戸の真空断熱材の断面図
【図５】本発明の実施の形態１における内戸の枠材に付着した結露水を示す模式図
【図６】本発明の実施の形態２における内戸の枠材に付着した結露水を示す模式図
【図７】従来例１における移動建材の構成図
【図８】従来例２における移動建材の設置状況図
【符号の説明】
【００５４】
１００  開口部
１０１  移動建材
１０２  面材
１３０  ガラス戸
１３２  枠材
１３３  真空断熱材
１３９  断熱性強化部
【図１】
2007132070.tif 000003
【図２】
2007132070.tif 000004
【図３】
2007132070.tif 000005
【図４】
2007132070.tif 000006
【図５】
2007132070.tif 000007
【図６】
2007132070.tif 000008
【図７】
2007132070.tif 000009
【図８】
2007132070.tif 000010